(57)【要約】【課題】挿入部の太径化を抑制しつつ、挿入部先端の結露を抑制し、かつ赤外光を用いた赤外観察を行うことができる内視鏡装置及び医療用撮像装置を提供すること。【解決手段】本発明にかかる内視鏡装置は、被写体からの観察光を取り込む入射端部を先端に有し、被検体内に挿入される挿入部と、紫外光を出射する紫外光源部と、を備え、入射端部には、紫外光源部が出射した紫外光を吸収することにより発熱する紫外光吸収フィルタが設けられている。【選択図】図２
2019165855.tif 000002
【特許請求の範囲】
【請求項１】
被写体からの観察光を取り込む入射端部を先端に有し、被検体内に挿入される挿入部と、
紫外光を出射する紫外光源部と、
を備え、
前記入射端部には、前記紫外光源部が出射した前記紫外光を吸収することにより発熱する紫外光吸収フィルタが設けられている
ことを特徴とする内視鏡装置。
【請求項２】
前記観察光を受光して撮像信号を生成する撮像部と、
前記入射端部からの前記観察光を前記撮像部に導光する観察光学系と、
前記観察光学系に設けられ、透過と反射とのいずれか一方により前記紫外光源部からの前記紫外光を前記紫外光吸収フィルタに導光するとともに、透過と反射とのいずれか他方により前記観察光の少なくとも可視領域の波長の光を前記撮像部に導光する、少なくとも一つのダイクロイックミラーと、
を備えることを特徴とする請求項１に記載の内視鏡装置。
【請求項３】
前記挿入部と、前記観察光学系の少なくとも一部と、前記紫外光吸収フィルタと、を有する内視鏡と、
前記撮像部と、前記ダイクロイックミラーと、を有し、前記内視鏡に着脱可能に接続するカメラヘッドと、
を備えることを特徴とする請求項２に記載の内視鏡装置。
【請求項４】
前記ダイクロイックミラーは、前記挿入部に設けられる
ことを特徴とする請求項２に記載の内視鏡装置。
【請求項５】
前記挿入部の前記先端に設けられ、前記被写体を照明する照明光を出射する出射端部を有し、
前記紫外光吸収フィルタは、前記入射端部と前記出射端部とに連接して設けられる
ことを特徴とする請求項１に記載の内視鏡装置。
【請求項６】
親水性の被膜が、前記紫外光吸収フィルタの表面に形成される
ことを特徴とする請求項１に記載の内視鏡装置。
【請求項７】
前記紫外光吸収フィルタが発する赤外光の強度に基づいて、該紫外光吸収フィルタの温度を測定し、測定結果に応じて前記紫外光源部が出射する前記紫外光の強度を制御する制御部、
をさらに備えることを特徴とする請求項１に記載の内視鏡装置。
【請求項８】
紫外光を吸収することにより発熱する紫外光吸収フィルタを有し被写体からの観察光を取り込む入射端部が先端に設けられた、被検体内に挿入される挿入部を備える内視鏡に、着脱可能に接続する医療用撮像装置であって、
前記観察光を受光して撮像信号を生成する撮像部と、
前記観察光の光路上に設けられ、透過と反射とのいずれか一方により紫外光源部からの前記紫外光を前記紫外光吸収フィルタに導光するとともに、透過と反射とのいずれか他方により前記観察光の少なくとも可視領域の波長の光を前記撮像部に導光する、少なくとも一つのダイクロイックミラーと、
を備えることを特徴とする医療用撮像装置。
【発明の詳細な説明】
【技術分野】
【０００１】
本発明は、内視鏡装置及び医療用撮像装置に関する。
【背景技術】
【０００２】
従来、被検体内に挿入されて被写体からの光を取り込む挿入部を有する内視鏡と、内視鏡が取り込んだ光を受光して電気信号に変換する撮像素子を有する撮像装置と、撮像装置が生成した電気信号に基づいて撮像画像を生成する画像処理装置とを備えた内視鏡装置が知られている。
【０００３】
内視鏡を被検体内に挿入すると、挿入部の先端部と体腔との温度差によって先端部に設けられるカバーガラスに結露が発生する。この結露の発生によって撮像視野が曇ってしまい、明確な撮像画像を取得できないという問題があった。この問題の解決策として、カバーガラス近傍に、ヒータ素子等の発熱体を設けて結露を防ぐ方法が挙げられる（例えば、特許文献１を参照）。しかしながら、挿入部には、被検体の侵襲を低減するために、細径化が求められている。カバーガラス近傍に発熱体を設けることは挿入部の太径化を招く。加えて、内視鏡のなかでも、硬性鏡は、挿入部内に電気回路を有しておらず、カバーガラスに発熱体を設ける場合、発熱体を発熱させるための回路等を設ける必要がある。
【０００４】
挿入部の太径化を抑制しつつ、結露を防ぐ技術として、赤外の波長帯域の光（赤外光）をカットするフィルタをカバーガラスに設けて、赤外光によりフィルタを加熱して結露を防止する技術が提案されている（例えば、特許文献２を参照）。
【先行技術文献】
【特許文献】
【０００５】
【特許文献１】特開２００６−２８２号公報
【特許文献２】特開平２−４８６２８号公報
【発明の概要】
【発明が解決しようとする課題】
【０００６】
近年、通常の白色光（可視光）での観察に加え、被写体からの赤外光を用いて観察する赤外観察が、内視鏡装置において実用化されている。しかしながら、特許文献２の技術では、カバーガラスに赤外光をカットするフィルタが設けられているため、被写体からの赤外光が当該フィルタによりカットされ赤外光が撮像素子に導光されず、赤外観察ができないという問題があった。
【０００７】
本発明は、上記に鑑みてなされたものであって、挿入部の太径化を抑制しつつ、挿入部先端の結露を抑制し、かつ赤外光を用いた赤外観察を行うことができる内視鏡装置及び医療用撮像装置を提供することを目的とする。
【課題を解決するための手段】
【０００８】
上述した課題を解決し、目的を達成するために、本発明にかかる内視鏡装置は、被写体からの観察光を取り込む入射端部を先端に有し、被検体内に挿入される挿入部と、紫外光を出射する紫外光源部と、を備え、前記入射端部には、前記紫外光源部が出射した前記紫外光を吸収することにより発熱する紫外光吸収フィルタが設けられていることを特徴とする。
【０００９】
また、本発明にかかる内視鏡装置は、上記発明において、前記観察光を受光して撮像信号を生成する撮像部と、前記入射端部からの前記観察光を前記撮像部に導光する観察光学系と、前記観察光学系に設けられ、透過と反射とのいずれか一方により前記紫外光源部からの前記紫外光を前記紫外光吸収フィルタに導光するとともに、透過と反射とのいずれか他方により前記観察光の少なくとも可視領域の波長の光を前記撮像部に導光する、少なくとも一つのダイクロイックミラーと、を備えることを特徴とする。
【００１０】
また、本発明にかかる内視鏡装置は、上記発明において、前記挿入部と、前記観察光学系の少なくとも一部と、前記紫外光吸収フィルタと、を有する内視鏡と、前記撮像部と、前記ダイクロイックミラーと、を有し、前記内視鏡に着脱可能に接続するカメラヘッドと、を備えることを特徴とする。
【００１１】
また、本発明にかかる内視鏡装置は、上記発明において、前記ダイクロイックミラーは、前記挿入部に設けられることを特徴とする。
【００１２】
また、本発明にかかる内視鏡装置は、上記発明において、前記挿入部の前記先端に設けられ、前記被写体を照明する照明光を出射する出射端部を有し、前記紫外光吸収フィルタは、前記入射端部と前記出射端部とに連接して設けられることを特徴とする。
【００１３】
また、本発明にかかる内視鏡装置は、上記発明において、親水性の被膜が、前記紫外光吸収フィルタの表面に形成されることを特徴とする。
【００１４】
また、本発明にかかる内視鏡装置は、上記発明において、前記紫外光吸収フィルタが発する赤外光の強度に基づいて、該紫外光吸収フィルタの温度を測定し、測定結果に応じて前記紫外光源部が出射する前記紫外光の強度を制御する制御部、をさらに備えることを特徴とする。
【００１５】
また、本発明にかかる医療用撮像装置は、紫外光を吸収することにより発熱する紫外光吸収フィルタを有し被写体からの観察光を取り込む入射端部が先端に設けられた、被検体内に挿入される挿入部を備える内視鏡に、着脱可能に接続する医療用撮像装置であって、前記観察光を受光して撮像信号を生成する撮像部と、前記観察光の光路上に設けられ、透過と反射とのいずれか一方により紫外光源部からの前記紫外光を前記紫外光吸収フィルタに導光するとともに、透過と反射とのいずれか他方により前記観察光の少なくとも可視領域の波長の光を前記撮像部に導光する、少なくとも一つのダイクロイックミラーと、を備えることを特徴とする。
【発明の効果】
【００１６】
本発明によれば、挿入部の太径化を抑制しつつ、挿入部先端の結露を抑制し、かつ赤外光を用いた赤外観察を行うことができるという効果を奏する。
【図面の簡単な説明】
【００１７】
【図１】図１は、本発明の実施の形態１にかかる内視鏡装置の概略構成を示す図である。
【図２】図２は、図１に示したカメラヘッド及び制御装置の構成を示すブロック図である。
【図３】図３は、本発明の実施の形態１にかかる内視鏡及び光源装置の構成を説明する模式図である。
【図４】図４は、本発明の実施の形態１にかかる内視鏡の先端構成を説明する模式図である。
【図５】図５は、本発明の実施の形態１の変形例１にかかる内視鏡及び光源装置の構成を説明する模式図である。
【図６】図６は、本発明の実施の形態１の変形例１にかかる内視鏡の先端構成を説明する模式図である。
【図７】図７は、本発明の実施の形態１の変形例２にかかる内視鏡及び光源装置の構成を説明する模式図である。
【図８】図８は、本発明の実施の形態１の変形例３にかかる内視鏡及び光源装置の構成を説明する模式図である。
【図９】図９は、本発明の実施の形態１の変形例４にかかる内視鏡及び光源装置の構成を説明する模式図である。
【図１０】図１０は、本発明の実施の形態１の変形例４にかかる内視鏡及び光源装置の構成を説明する模式図である。
【図１１】図１１は、本発明の実施の形態２にかかる内視鏡装置の概略構成を示す図である。
【図１２】図１２は、本発明の実施の形態２にかかる内視鏡及び光源装置の構成を説明する模式図である。
【図１３】図１３は、本発明の実施の形態２の変形例１にかかる内視鏡及び光源装置の構成を説明する模式図である。
【図１４】図１４は、本発明の実施の形態２の変形例２にかかる内視鏡及び光源装置の構成を説明する模式図である。
【図１５】図１５は、本発明の他の実施の形態にかかる内視鏡の先端構成を説明する模式図である。
【発明を実施するための形態】
【００１８】
以下、本発明を実施するための形態（以下、「実施の形態」という）を説明する。実施の形態では、本発明にかかる内視鏡装置の一例として、患者等の被検体内の画像を撮像して表示する医療用の内視鏡装置について説明する。また、この実施の形態により、この発明が限定されるものではない。さらに、図面の記載において、同一部分には同一の符号を付して説明する。
【００１９】
（実施の形態１）
図１は、本発明の実施の形態１にかかる内視鏡装置１の概略構成を示す図である。内視鏡装置１は、医療分野において用いられ、人等の観察対象物の内部（生体内）の被写体を観察する装置である。この内視鏡装置１は、図１に示すように、内視鏡２と、撮像装置３と、表示装置４と、制御装置５と、光源装置６とを備える。
【００２０】
光源装置６は、ライトガイド７の一端が接続され、当該ライトガイド７の一端に生体内を照明するための例えば白色光や、赤外観察用の赤外光の照明光を供給する光源部６１と、光源部６１による照明光の出射を制御する光源制御部６２と、を有する。光源部６１が備える光源は、例えば、ハロゲンランプやキセノンランプ、ＬＥＤ（Light  Emitting  Diode）やＬＤ（Laser  Diode）が用いられる。
【００２１】
ライトガイド７は、一端が光源装置６に着脱自在に接続されるとともに、他端が内視鏡２に着脱自在に接続される。そして、ライトガイド７は、光源装置６から供給された光を一端から他端に伝達し、内視鏡２に供給する。
【００２２】
撮像装置３は、内視鏡２からの被写体像を撮像して当該撮像結果を出力する。この撮像装置３は、図１に示すように、信号伝送部である伝送ケーブル８と、カメラヘッド９とを備える。本実施の形態１では、伝送ケーブル８とカメラヘッド９とにより医療用撮像装置が構成される。
【００２３】
内視鏡２は、硬質で細長形状を有し、生体内に挿入される。この内視鏡２の内部には、１または複数のレンズを用いて構成され、被写体像を集光する観察光学系が設けられている。また、内視鏡２の先端には、カバーガラスが設けられている。内視鏡２は、ライトガイド７を介して供給された光を先端から出射し、生体内に照射する。そして、生体内に照射された光（被写体像）は、内視鏡２内の観察光学系（内視鏡側光学系２１Ａ）により導光される。
【００２４】
カメラヘッド９は、内視鏡２の基端に着脱自在に接続される。そして、カメラヘッド９は、制御装置５による制御の下、内視鏡２にて集光された被写体像を撮像し、当該撮像による撮像信号を出力する。なお、カメラヘッド９の詳細な構成については、後述する。内視鏡２とカメラヘッド９とは、図１に示すように着脱自在に構成してもよいし、一体化した構成であってもよい。
【００２５】
伝送ケーブル８は、一端がコネクタを介して制御装置５に着脱自在に接続されるとともに、他端がコネクタを介してカメラヘッド９に着脱自在に接続される。具体的に、伝送ケーブル８は、最外層である外被の内側に複数の電気配線（図示略）が配設されたケーブルである。当該複数の電気配線は、カメラヘッド９から出力される撮像信号を制御装置５に、制御装置５から出力される制御信号、同期信号、クロック、及び電力をカメラヘッド９にそれぞれ伝送するための電気配線である。
【００２６】
表示装置４は、制御装置５による制御のもと、制御装置５により生成された画像を表示する。表示装置４は、観察時の没入感を得やすくするために、表示部が５５インチ以上を有するものが好ましいが、これに限らない。
【００２７】
制御装置５は、カメラヘッド９から伝送ケーブル８を経由して入力された撮像信号を処理し、表示装置４へ画像信号を出力するとともに、カメラヘッド９及び表示装置４の動作を統括的に制御する。なお、制御装置５の詳細な構成については、後述する。
【００２８】
次に、撮像装置３及び制御装置５の構成について説明する。図２は、カメラヘッド９及び制御装置５の構成を示すブロック図である。なお、図２では、カメラヘッド９及び伝送ケーブル８同士を着脱可能とするコネクタの図示を省略している。
【００２９】
以下、制御装置５の構成、及びカメラヘッド９の構成の順に説明する。なお、以下では、制御装置５の構成として、本発明の要部を主に説明する。制御装置５は、図２に示すように、信号処理部５１と、画像処理部５２と、通信モジュール５３と、入力部５４と、出力部５５と、制御部５６と、メモリ５７とを備える。なお、制御装置５には、制御装置５及びカメラヘッド９を駆動するための電源電圧を生成し、制御装置５の各部にそれぞれ供給するとともに、伝送ケーブル８を介してカメラヘッド９に供給する電源部（図示略）などが設けられていてもよい。
【００３０】
信号処理部５１は、カメラヘッド９が出力した撮像信号に対してノイズ除去や、必要に応じてＡ／Ｄ変換等の信号処理を行うことによって、デジタル化された撮像信号（パルス信号）を画像処理部５２に出力する。
【００３１】
また、信号処理部５１は、撮像装置３及び制御装置５の同期信号、及びクロックを生成する。撮像装置３への同期信号（例えば、カメラヘッド９の撮像タイミングを指示する同期信号等）やクロック（例えばシリアル通信用のクロック）は、図示しないラインで撮像装置３に送られ、この同期信号やクロックを基に、撮像装置３は駆動する。
【００３２】
画像処理部５２は、信号処理部５１から入力される撮像信号をもとに、表示装置４が表示する表示用の画像信号を生成する。画像処理部５２は、撮像信号に対して、所定の信号処理を実行して被写体画像を含む表示用の画像信号を生成する。ここで、画像処理部５２は、検波処理や、補間処理、色補正処理、色強調処理、及び輪郭強調処理等の各種画像処理等の公知の画像処理を行う。画像処理部５２は、生成した画像信号を表示装置４に出力する。
【００３３】
通信モジュール５３は、制御部５６から送信された後述する制御信号を含む制御装置５からの信号を撮像装置３に出力する。また、撮像装置３からの信号を制御装置５内の各部に出力する。つまり通信モジュール５３は、撮像装置３へ出力する制御装置５の各部からの信号を、例えばパラレルシリアル変換等によりまとめて出力し、また撮像装置３から入力される信号を、例えばシリアルパラレル変換等により振り分け制御装置５の各部に出力する、中継デバイスである。
【００３４】
入力部５４は、キーボード、マウス、タッチパネル等のユーザインタフェースを用いて実現され、各種情報の入力を受け付ける。
【００３５】
出力部５５は、スピーカーやプリンタ、ディスプレイ等を用いて実現され、各種情報を出力する。
【００３６】
制御部５６は、制御装置５及びカメラヘッド９を含む各構成部の駆動制御、及び各構成部に対する情報の入出力制御などを行う。制御部５６は、メモリ５７に記録されている通信情報データ（例えば、通信用フォーマット情報など）を参照して制御信号を生成し、該生成した制御信号を、通信モジュール５３を介して撮像装置３へ送信する。また、制御部５６は、伝送ケーブル８を介して、カメラヘッド９に対して制御信号を出力する。制御部５６は、例えば、入力部５４を介して入力される観察法の切替指示により、光源装置６が出射する照明光の波長帯域を切り替える。観察法としては、白色光を出射する通常観察と、白色の波長帯域と異なる波長帯域の光を出射する特殊光観察とがある。本実施の形態１では、一例として、赤外の波長帯域の光を出射して赤外光を観察する赤外観察を特殊光観察とする。
【００３７】
メモリ５７は、フラッシュメモリやＤＲＡＭ（Dynamic  Random  Access  Memory）等の半導体メモリを用いて実現され、通信情報データ（例えば、通信用フォーマット情報など）が記録されている。なお、メモリ５７は、制御部５６が実行する各種プログラム等が記録されていてもよい。
【００３８】
なお、信号処理部５１が、入力されたフレームの撮像信号を基に、各フレームの所定のＡＦ用評価値を出力するＡＦ処理部、及び、ＡＦ処理部からの各フレームのＡＦ用評価値から、最も合焦位置として適したフレームまたはフォーカスレンズ位置等を選択するようなＡＦ演算処理を行うＡＦ演算部を有していてもよい。
【００３９】
上述した信号処理部５１、画像処理部５２、通信モジュール５３及び制御部５６は、プログラムが記録された内部メモリ（図示略）を有するＣＰＵ（Central  Processing  Unit）等の汎用プロセッサやＡＳＩＣ（Application  Specific  Integrated  Circuit）等の特定の機能を実行する各種演算回路等の専用プロセッサを用いて実現される。また、プログラマブル集積回路の一種であるＦＰＧＡ(Field  Programmable  Gate  Array：図示略)を用いて構成するようにしてもよい。なお、ＦＰＧＡにより構成される場合は、コンフィグレーションデータを記憶するメモリを設け、メモリから読み出したコンフィグレーションデータにより、プログラマブル集積回路であるＦＰＧＡをコンフィグレーションしてもよい。
【００４０】
次に、カメラヘッド９の構成として、本発明の要部を主に説明する。カメラヘッド９は、図２に示すように、観察光学系の一部であるレンズユニット９１と、撮像部９２と、通信モジュール９３と、カメラヘッド制御部９４とを備える。なお、本実施の形態１では、後述するように、カメラヘッド９には、所定の波長帯域の光をカットする観察側フィルタを有する構成と、このフィルタを有しない構成とが存在する。
【００４１】
レンズユニット９１は、１または複数のレンズを用いて構成され、入射した被写体像を、撮像部９２を構成する撮像素子の撮像面に結像する。当該１または複数のレンズは、光軸に沿って移動可能に構成されている。そして、レンズユニット９１には、当該１または複数のレンズを移動させて、画角を変化させる光学ズーム機構（図示略）や焦点位置を変化させるフォーカス機構が設けられている。なお、レンズユニット９１は、内視鏡２において設けられる光学系とともに、内視鏡２に入射した観察光を撮像部９２に導光する観察光学系を形成する。
【００４２】
撮像部９２は、カメラヘッド制御部９４による制御の下、被写体を撮像する。この撮像部９２は、レンズユニット９１が結像した被写体像を受光して電気信号に変換する撮像素子を用いて構成されている。撮像素子は、ＣＣＤ（Charge  Coupled  Device）イメージセンサまたはＣＭＯＳ（Complementary  Metal  Oxide  Semiconductor）イメージセンサにより構成される。撮像素子がＣＣＤの場合は、例えば、当該撮像素子からの電気信号（アナログ信号）に対して信号処理（Ａ／Ｄ変換等）を行って撮像信号を出力する信号処理部（図示略）がセンサチップなどに実装される。撮像素子がＣＭＯＳの場合は、例えば、光から電気信号に変換された電気信号（アナログ信号）に対して信号処理（Ａ／Ｄ変換等）を行って撮像信号を出力する信号処理部（図示略）が撮像素子に含まれる。撮像部９２は、生成した電気信号を通信モジュール９３に出力する。
【００４３】
通信モジュール９３は、制御装置５から送信された信号をカメラヘッド制御部９４等のカメラヘッド９内の各部に出力する。また、通信モジュール９３は、カメラヘッド９の現在の状態に関する情報などを予め決められた伝送方式に応じた信号形式に変換し、伝送ケーブル８を介して当該変換した信号を制御装置５に出力する。つまり通信モジュール９３は、制御装置５や伝送ケーブル８から入力される信号を、例えばシリアルパラレル変換等により振り分けカメラヘッド９の各部に出力し、また制御装置５や伝送ケーブル８へ出力するカメラヘッド９の各部からの信号を、例えばパラレルシリアル変換等によりまとめて出力する、中継デバイスである。
【００４４】
カメラヘッド制御部９４は、伝送ケーブル８を介して入力した駆動信号や、カメラヘッド９の外面に露出して設けられたスイッチ等の操作部へのユーザ操作により操作部から出力される指示信号等に応じて、カメラヘッド９全体の動作を制御する。また、カメラヘッド制御部９４は、伝送ケーブル８を介して、カメラヘッド９の現在の状態に関する情報を制御装置５に出力する。
【００４５】
なお、上述した通信モジュール９３及びカメラヘッド制御部９４は、プログラムが記録された内部メモリ（図示略）を有するＣＰＵ等の汎用プロセッサやＡＳＩＣ等の特定の機能を実行する各種演算回路等の専用プロセッサを用いて実現される。また、プログラマブル集積回路の一種であるＦＰＧＡを用いて構成するようにしてもよい。ここで、ＦＰＧＡにより構成される場合は、コンフィグレーションデータを記憶するメモリを設け、メモリから読み出したコンフィグレーションデータにより、プログラマブル集積回路であるＦＰＧＡをコンフィグレーションしてもよい。
【００４６】
また、カメラヘッド９や伝送ケーブル８に、通信モジュール９３や撮像部９２により生成された撮像信号に対して信号処理を施す信号処理部を構成するようにしてもよい。さらに、カメラヘッド９内部に設けられた発振器（図示略）で生成された基準クロックに基づいて、撮像部９２を駆動するための撮像用クロック、及びカメラヘッド制御部９４のための制御用クロックを生成し、撮像部９２及びカメラヘッド制御部９４にそれぞれ出力するようにしてもよいし、伝送ケーブル８を介して制御装置５から入力した同期信号に基づいて、撮像部９２及びカメラヘッド制御部９４における各種処理のタイミング信号を生成し、撮像部９２及びカメラヘッド制御部９４にそれぞれ出力するようにしてもよい。また、カメラヘッド制御部９４をカメラヘッド９ではなく伝送ケーブル８や制御装置５に設けてもよい。
【００４７】
図３は、本発明の実施の形態にかかる内視鏡２及びカメラヘッド９の構成を説明する模式図である。図４は、本発明の実施の形態１にかかる内視鏡の先端構成を説明する模式図であって、内視鏡２の先端面の構成を示す平面図である。内視鏡２は、先端側で外部の光を取り込み、基端側でカメラヘッド９に電気的に接続する。
【００４８】
内視鏡２は、挿入部２１の内部に、観察光学系の一部である内視鏡側光学系２１Ａを備えている（例えば、図３参照）。内視鏡側光学系２１Ａは、当該内視鏡側光学系２１Ａの光軸Ｎ1に沿って、先端側から対物レンズ２１ａ、第１リレー光学系２１ｂ、第２リレー光学系２１ｃ、第３リレー光学系２１ｄ、接眼レンズ２１ｅの順で配置されてなる。
【００４９】
内視鏡２の先端には、紫外光吸収フィルタ２２（以下、ＵＶ吸収フィルタ２２という）と、カバーガラス２３と、照明窓２４とが設けられている。カバーガラス２３は、内視鏡側光学系２１Ａの観察光の入射側の先端に設けられる。カバーガラス２３は、被写体からの観察光を取り込む入射窓であり、内視鏡２における入射端部を構成している。ＵＶ吸収フィルタ２２は、カバーガラス２３の表面であって、内視鏡側光学系２１Ａ側と反対側の表面を被覆している（図４参照）。すなわち、ＵＶ吸収フィルタ２２は、内視鏡２の先端における入射端部に設けられ、この入射端部を覆っている。ＵＶ吸収フィルタ２２は、例えば４００ｎｍ以下の波長帯域の光（紫外光）を吸収して発熱するフィルタである。ＵＶ吸収フィルタ２２は、コーティングによってカバーガラス２３に設けてもよいし、シールによってカバーガラス２３に貼付してもよい。また、照明窓２４は、被写体を照明する照明光を内視鏡２から出射する窓であり、内視鏡２における出射端部を構成している。
【００５０】
カメラヘッド９は、内視鏡２に接続する側からレンズユニット９１、撮像部９２の順で配置されてなる。レンズユニット９１および撮像部９２の光軸は、内視鏡側光学系２１Ａの光軸Ｎ1と一致している。本明細書において、内視鏡側光学系２１Ａとレンズユニット９１とによって、観察光を撮像部９２に導光する観察光学系を形成している。
【００５１】
さらに、カメラヘッド９には、紫外光を出射するＵＶ光源部９５と、レンズユニット９１の光軸上に配置されるダイクロイックミラー９６とが設けられている。ＵＶ光源部９５は、カメラヘッド制御部９４の制御のもと、紫外光を出射する。ＵＶ光源部９５は、紫外光を出射するＬＥＤを用いて構成される。ダイクロイックミラー９６は、観察光の光路と平行、かつ内視鏡側光学系２１Ａに向けて紫外光を反射し、かつ紫外の波長帯域以外の波長帯域の光を透過する。ＵＶ光源部９５から出射された紫外光ＬUVは、ダイクロイックミラー９６で反射されて光軸Ｎ1に沿って進行し、ＵＶ吸収フィルタ２２に照射される。
【００５２】
一方、光源装置６から供給される白色光又は赤外光は、ライドガイド７を経由して内視鏡２に入射し、照明窓２４から外部に出射される（例えば、図３に示す白色光ＬWLI）。
通常観察時、白色光を構成するすべての光が撮像部９２に入射する。白色光は、青色の波長帯域の光、緑色の波長帯域の光、赤色の波長帯域の光を含む。赤色の波長帯域には、赤外の波長帯域を含むが、赤外の波長帯域を含まなくてもよい。
これに対し、特殊光観察（赤外観察）時は、光源装置６から例えば赤外光が出射され、撮像部９２が、観察部位からの赤外光を受光する。なお、光源装置６から赤外光でない励起光が出射され、この励起光による被写体からの蛍光である赤外光を、撮像部９２が受光してもよい。
【００５３】
通常観察及び赤外観察時、ＵＶ光源部９５から紫外光が出射される。これにより、ＵＶ吸収フィルタ２２に紫外光が照射される。ＵＶ吸収フィルタ２２は、紫外光を吸収することによって発熱する。ＵＶ吸収フィルタ２２の発熱によって、体腔の温度と、ＵＶ吸収フィルタ２２又はカバーガラス２３の温度との温度差が小さくなり、結露の発生が抑制される。なお、ＵＶ光源部９５は、ＵＶ吸収フィルタ２２の温度が３７℃以上４１℃以下で飽和するような出射光量に制御されている。
【００５４】
上述した実施の形態１は、内視鏡２の先端に観察光学系２１に入射する光の入射口に設けられるカバーガラス２３の表面を、ＵＶ吸収フィルタ２２で覆い、カメラヘッド９のＵＶ光源部９５から出射した紫外光をＵＶ吸収フィルタ２２に照射するようにした。本実施の形態１では、内視鏡２先端に設けたＵＶ吸収フィルタ２２を発熱させて結露の発生を抑制し、赤外の波長帯域の光はダイクロイックミラー９６を通過して撮像部９２が受光可能である。また、実施の形態１によれば、内視鏡２の先端にＵＶ吸収フィルタ２２を設ければよいため、挿入部２１の太径化を抑制できる。
【００５５】
また、上述した実施の形態１によれば、ダイクロイックミラー９６を設けて紫外光と、その他の波長帯域の光とを分光するようにしたので、紫外光をＵＶ吸収フィルタ２２に導光するための専用の導光手段を設ける必要がなく、挿入部２１が太径化することを抑制できるとともに、紫外光を効率的にＵＶ吸収フィルタ２２に導光することができる。
【００５６】
なお、上述した実施の形態１において、ＵＶ吸収フィルタ２２とカバーガラス２３とを一体化する、すなわち、カバーガラス２３を、紫外光を吸収する材料で構成するようにしてもよい。この場合、カバーガラス２３が、内視鏡２における入射端部を構成するとともに、ＵＶ吸収フィルタの機能を担うことになる。
【００５７】
また、上述した実施の形態１において、通常光観察のみを行う場合、ダイクロイックミラー９６が透過する波長帯域は、少なくとも可視領域の波長の光を透過すればよい。また、ダイクロイックミラー９６は、撮像部９２とＵＶ光源部９５との配置に応じて、反射する光の波長帯域と、透過する波長帯域の光とを逆にしてもよい。撮像部９２とＵＶ光源部９５との配置に応じて逆にした場合、ダイクロイックミラー９６は、紫外光を透過し、かつ紫外の波長帯域以外の波長帯域の光を反射する。
【００５８】
（実施の形態１の変形例１）
続いて、本発明の実施の形態１の変形例１について説明する。図５は、本発明の実施の形態１の変形例１にかかる内視鏡及び光源装置の構成を説明する模式図である。図６は、本発明の実施の形態１の変形例１にかかる内視鏡の先端構成を説明する模式図であって、内視鏡２Ａの先端面の構成を示す平面図である。本変形例１にかかる内視鏡装置は、上述した内視鏡装置１に対し、紫外光を出射するＵＶ光源部の配置とＵＶ吸収フィルタの被覆範囲のみが異なり、そのほかの構成は、上述した内視鏡装置１と同じである。以下、上述した実施の形態１とは異なる部分について説明する。
【００５９】
本変形例１にかかる内視鏡装置は、内視鏡２Ａと、撮像装置（伝送ケーブル８及びカメラヘッド９Ａ）と、表示装置４と、制御装置５と、光源装置６Ａとを備える。
【００６０】
光源装置６Ａは、ライトガイド７の一端が接続され、当該ライトガイド７の一端に生体内を照明するための例えば白色光や、赤外観察用の赤外光等の照明光を供給する光源部６１と、光源部６１による照明光の出射を制御する光源制御部６２と、紫外光を出射するＵＶ光源部６３とを有する。
【００６１】
内視鏡２Ａは、硬質で細長形状を有し、生体内に挿入される。この内視鏡２Ａは、上述した内視鏡側光学系２１Ａと、ＵＶ吸収フィルタ２２Ａと、カバーガラス２３と、を有する。ＵＶ吸収フィルタ２２Ａは、４００ｎｍ以下の波長帯域の光（紫外光）を吸収して発熱するフィルタである。ＵＶ吸収フィルタ２２Ａは、カバーガラス２３と、照明窓２４とを被覆している（図６参照）。換言すれば、ＵＶ吸収フィルタ２２Ａは、入射端部であるカバーガラス２３と、出射端部である照明窓２４とに連接して設けられている。
【００６２】
カメラヘッド９Ａは、上述したレンズユニット９１と、撮像部９２と、通信モジュール９３とカメラヘッド制御部９４と、を有している。カメラヘッド９Ａは、上述したカメラヘッド９の構成に対し、ＵＶ光源部９５及びダイクロイックミラー９６を有していない構成である。
【００６３】
光源部６１から供給される白色光又は赤外光は、ライドガイド７を経由して内視鏡２に入射し、照明窓２４から外部に出射される（例えば、図５に示す白色光ＬWLI）。また、ＵＶ光源部６３から出射された紫外光ＬUVは、ライトガイド７を経由して照明光路に沿って進行し、ＵＶ吸収フィルタ２２Ａに照射される。
【００６４】
通常観察及び赤外観察時、白色光又は赤外光に加え、ＵＶ光源部６３から紫外光が出射される。これにより、ＵＶ吸収フィルタ２２Ａに紫外光が照射される。ＵＶ吸収フィルタ２２Ａは、紫外光を吸収することによって発熱する。ＵＶ吸収フィルタ２２Ａは、照明窓２４側から加熱され、カバーガラス２３側に熱が伝わる。ＵＶ吸収フィルタ２２Ａの発熱によって、体腔の温度と、ＵＶ吸収フィルタ２２Ａ又はカバーガラス２３の温度との温度差が小さくなり、結露の発生が抑制される。
【００６５】
上述した変形例１によれば、実施の形態１と同様に、挿入部２１の太径化を抑制しつつ、挿入部２１の先端の結露を抑制し、かつ赤外光を用いた観察を行うことができる。
【００６６】
（実施の形態１の変形例２）
続いて、本発明の実施の形態１の変形例２について説明する。図７は、本発明の実施の形態１の変形例２にかかる内視鏡及び光源装置の構成を説明する模式図である。本変形例２にかかる内視鏡装置は、上述した内視鏡装置１に対し、紫外光を出射するＵＶ光源部の配置、及び、紫外光を観察光学系へ入射させる構成のみが異なり、そのほかの構成は、上述した内視鏡装置１と同じである。以下、上述した実施の形態１とは異なる部分について説明する。
【００６７】
本変形例２にかかる内視鏡装置は、内視鏡２Ｂと、撮像装置（伝送ケーブル８及びカメラヘッド９Ａ）と、表示装置４と、制御装置５と、光源装置６Ａとを備える。
【００６８】
光源装置６Ａは、上述した変形例１と同じ構成である。光源部６１から供給される白色光又は赤外光は、ライドガイド７を経由して内視鏡２に入射し、照明窓２４から外部に出射される（例えば、図７に示す白色光ＬWLI）。
【００６９】
内視鏡２Ｂは、硬質で細長形状を有し、生体内に挿入される。この内視鏡２Ａは、上述した内視鏡側光学系２１Ａと、ＵＶ吸収フィルタ２２と、カバーガラス２３と、第１ダイクロイックミラー２５と、第２ダイクロイックミラー２６とを有する。第１ダイクロイックミラー２５は、照明光の光路上に設けられ、紫外光を反射し、かつ紫外の波長帯域以外の波長帯域の光を透過する。第２ダイクロイックミラー２６は、観察光学系の光軸Ｎ1上に設けられ、紫外光を反射し、かつ紫外の波長帯域以外の波長帯域の光を透過する。ＵＶ光源部６３から出射された紫外光ＬUVは、ライトガイド７を経由して照明光路に沿って進行し、第１ダイクロイックミラー２５及び第２ダイクロイックミラー２６に反射されて観察光学系の光路に沿って進行し、ＵＶ吸収フィルタ２２に照射される。
【００７０】
カメラヘッド９Ａは、上述したレンズユニット９１と、撮像部９２と、通信モジュール９３とカメラヘッド制御部９４と、を有している。カメラヘッド９Ａは、上述した変形例１と同じ構成である。
【００７１】
通常観察及び赤外観察時、白色光又は赤外光に加え、ＵＶ光源部６３から紫外光が出射される。これにより、ＵＶ吸収フィルタ２２に紫外光が照射される。ＵＶ吸収フィルタ２２は、紫外光を吸収することによって発熱する。ＵＶ吸収フィルタ２２の発熱によって、体腔の温度と、ＵＶ吸収フィルタ２２又はカバーガラス２３の温度との温度差が小さくなり、結露の発生が抑制される。
【００７２】
上述した変形例２によれば、実施の形態１と同様に、挿入部２１の太径化を抑制しつつ、挿入部２１の先端の結露を抑制し、かつ赤外光を用いた観察を行うことができる。
【００７３】
（実施の形態１の変形例３）
続いて、本発明の実施の形態１の変形例３について説明する。図８は、本発明の実施の形態１の変形例３にかかる内視鏡及び光源装置の構成を説明する模式図である。本変形例３にかかる内視鏡装置は、上述した内視鏡装置１に対し、紫外光を出射するＵＶ光源部の配置、及び、紫外光を観察光学系へ入射させる構成のみが異なり、そのほかの構成は、上述した内視鏡装置１と同じである。以下、上述した実施の形態１とは異なる部分について説明する。
【００７４】
本変形例３にかかる内視鏡装置は、内視鏡２と、撮像装置（伝送ケーブル８及びカメラヘッド９Ｂ）と、表示装置４と、制御装置５と、光源装置６Ａとを備える。本変形例３では、光源装置６Ａとカメラヘッド９Ｂとを接続するライトガイド１０をさらに備える。
【００７５】
光源装置６Ａは、上述した変形例１と同じ構成である。光源部６１から供給される白色光又は赤外光は、ライドガイド７を経由して内視鏡２に入射し、照明窓２４から外部に出射される（例えば、図８に示す白色光ＬWLI）。
【００７６】
カメラヘッド９Ｂは、上述したレンズユニット９１と、撮像部９２と、通信モジュール９３とカメラヘッド制御部９４と、第１折り曲げミラー９７と、第２折り曲げミラー９８と、ダイクロイックミラー９９とを有している。ダイクロイックミラー９９は、紫外光を反射し、かつ紫外の波長帯域以外の波長帯域の光を透過する。
【００７７】
ＵＶ光源部６３から出射された紫外光ＬUVは、ライトガイド１０を経由してカメラヘッド９Ｂに入射する。カメラヘッド９Ｂに入射した紫外光ＬUVは、第１折り曲げミラー９７、第２折り曲げミラー９８及びダイクロイックミラー９９を経て内視鏡側光学系２１Ａの光路に進入する。内視鏡側光学系２１Ａの光路に進入した紫外光ＬUVは、光軸Ｎ1に沿って進行し、ＵＶ吸収フィルタ２２に照射される。
【００７８】
通常観察及び赤外観察時、白色光又は赤外光に加え、ＵＶ光源部６３から紫外光が出射される。これにより、ＵＶ吸収フィルタ２２に紫外光が照射される。ＵＶ吸収フィルタ２２の紫外光による発熱によって、体腔の温度と、ＵＶ吸収フィルタ２２又はカバーガラス２３の温度との温度差が小さくなり、結露の発生が抑制される。
【００７９】
上述した変形例３によれば、実施の形態１と同様に、挿入部２１の太径化を抑制しつつ、挿入部２１の先端の結露を抑制し、かつ赤外光を用いた観察を行うことができる。
【００８０】
（実施の形態１の変形例４）
続いて、本発明の実施の形態１の変形例４について説明する。図９は、本発明の実施の形態１の変形例４にかかる内視鏡及び光源装置の構成を説明する模式図である。図１０は、本発明の実施の形態１の変形例４にかかる内視鏡の先端構成を説明する模式図であって、内視鏡２Ｂの先端面の構成を示す平面図である。本変形例４にかかる内視鏡装置は、上述した変形例１の構成に対し、ＵＶ吸収フィルタ２２の温度を測定する構成をさらに備える。以下、上述した変形例１とは異なる部分について説明する。
【００８１】
本変形例４にかかる内視鏡装置は、内視鏡２Ｃと、撮像装置（伝送ケーブル８及びカメラヘッド９Ａ）と、表示装置４と、制御装置５と、光源装置６Ａとを備える。
【００８２】
光源装置６Ａは、上述した変形例１と同じ構成である。光源部６１から供給される白色光又は赤外光は、ライドガイド７を経由して内視鏡２に入射し、照明窓２４から外部に出射される（例えば、図９に示す白色光ＬWLI）。また、ＵＶ光源部６３から出射された紫外光ＬUVは、ライトガイド７を経由して照明光路に沿って進行し、ＵＶ吸収フィルタ２２Ａに照射される。
【００８３】
内視鏡２Ｃは、硬質で細長形状を有し、生体内に挿入される。この内視鏡２Ｃは、上述した内視鏡側光学系２１Ａと、ＵＶ吸収フィルタ２２Ａと、カバーガラス２３と、照明用窓２４と、温度測定窓２７とを有する。
【００８４】
カメラヘッド９Ａは、上述したレンズユニット９１と、撮像部９２と、通信モジュール９３とカメラヘッド制御部９４と、を有している。カメラヘッド９Ａは、上述した変形例１と同じ構成である。
【００８５】
通常観察及び赤外観察時、白色光又は赤外光に加え、ＵＶ光源部６３から紫外光が出射される。これにより、ＵＶ吸収フィルタ２２Ａに紫外光が照射される。ＵＶ吸収フィルタ２２Ａは、紫外光の吸収による発熱によって、体腔の温度と、ＵＶ吸収フィルタ２２又はカバーガラス２３の温度との温度差が小さくなり、結露の発生が抑制される。
【００８６】
この際、ＵＶ吸収フィルタ２２Ａが発熱すると、ＵＶ吸収フィルタ２２Ａの表面から赤外光が発せられる。本変形例４では、ＵＶ吸収フィルタ２２Ａの表面から発せられる赤外光を測定することによって、ＵＶ吸収フィルタ２２Ａの温度を測定する。ＵＶ吸収フィルタ２２Ａの表面から発せられる赤外光は、挿入部２１を経由して撮像部９２に入射する。この際の赤外光は、ライトガイドを用いて導光してもよいし、光学系が形成する光路に沿って導光してもよい。撮像部９２における赤外光の受光部９２２は、内視鏡側光学系２１Ａによって導光された観察光の受光領域９２１とは異なる領域となる（図１０参照）。撮像部９２は、受光した赤外光を光電変化し、生成した電気信号を制御装置５に出力する。制御装置５において、制御部５６は、電気信号の信号値から、ＵＶ吸収フィルタ２２Ａの温度を測定する。このようにして、観察光と、発熱による赤外光の受光領域とを分けて、別々に信号処理を施すことによって、ＵＶ吸収フィルタ２２Ａの温度を独立して測定することが可能となる。制御部５６は、測定結果に応じて、ＵＶ光源部６３による紫外光の強度（ゼロを含む）制御を行って、例えばＵＶ吸収フィルタ２２Ａが３７℃以上４１℃以下となるように制御する。
【００８７】
上述した変形例４によれば、実施の形態１と同様に、挿入部２１の太径化を抑制しつつ、挿入部２１の先端の結露を抑制し、かつ赤外光を用いた観察を行うことができる。さらに、本変形例４によれば、ＵＶ吸収フィルタ２２の温度を設定された温度に適切に制御することができる。
【００８８】
（実施の形態２）
続いて、本発明の実施の形態２について説明する。図１１は、本発明の実施の形態２にかかる内視鏡装置２００の概略構成を示す図である。図１２は、本発明の実施の形態２にかかる内視鏡２０１及び光源装置２１０の構成を説明する模式図である。上述した実施の形態１では、内視鏡２として、硬性鏡を用いた内視鏡装置１を説明したが、これに限られず、軟性の内視鏡を用いた内視鏡装置としても構わない。本実施の形態２では、軟性の内視鏡の挿入部の先端にＵＶ吸収フィルタを設ける場合の例を説明する。
【００８９】
内視鏡装置２００は、被検体内に挿入部２０２を挿入することによって観察部位の体内画像を撮像して撮像信号を生成する内視鏡２０１と、内視鏡２０１の先端から出射する照明光を発生する光源装置２１０と、内視鏡２０１が取得した撮像信号に所定の画像処理を施すとともに、内視鏡装置２００全体の動作を統括的に制御する制御装置２２０と、制御装置２２が画像処理を施した体内画像を表示する表示装置２３０と、を備える。内視鏡装置２００は、患者等の被検体内に、挿入部２０２を挿入して被検体内の体内画像を取得する。なお、制御装置２２０は、上述した信号処理部５１、画像生成部５２などの機能を有している。
【００９０】
内視鏡２０１は、可撓性を有する細長形状をなす挿入部２０２と、挿入部２０２の基端側に接続され、各種の操作信号の入力を受け付ける操作部２０３と、操作部２０３から挿入部２０２が延びる方向と異なる方向に延び、光源装置２１０及び制御装置２２０に接続する各種ケーブルを内蔵するユニバーサルコード２０４と、を備える。
【００９１】
挿入部２０２は、撮像部を内蔵した先端部２０５と、複数の湾曲駒によって構成された湾曲自在な湾曲部２０６と、湾曲部２０６の基端側に接続され、可撓性を有する長尺状の可撓管部２０７と、を有する。
【００９２】
先端部２０５は、レンズユニット２０５１と、撮像部２０５２と、カバーガラス２０５３とを備える。レンズユニット２０５１は、１または複数のレンズを用いて構成され、カバーガラス２０５３を介して入射した被写体像を、撮像部２０５２を構成する撮像素子の撮像面に結像する。撮像部２０５２は、制御装置２２０による制御の下、被写体を撮像する。この撮像部２０５２は、レンズユニット２０５１が結像した被写体像を受光して電気信号に変換する撮像素子を用いて構成されている。撮像素子は、ＣＣＤ（Charge  Coupled  Device）イメージセンサまたはＣＭＯＳ（Complementary  Metal  Oxide  Semiconductor）イメージセンサにより構成される。レンズユニット２０５１及び撮像部２０５２は、光軸Ｎ2に沿って配列されている。撮像部２０５２は、生成した電気信号を、挿入部２０２及び操作部２０３を経由して制御装置２２０に出力する。
【００９３】
また、先端部２０５のカバーガラス２０５３の外表面、及び、光源部２１１からの照明光を出射する照明窓（図示せず）の外表面は、ＵＶ吸収フィルタ２０８に被覆されている（図１２参照）。ＵＶ吸収フィルタ２０８は、４００ｎｍ以下の波長帯域の光（紫外光）を吸収するフィルタである。
【００９４】
光源装置２１０は、白色光と、赤外光との出射を切り替え可能な光源部２１１と、紫外光を出射するＵＶ光源部２１２とを備える。光源部２１１から供給される白色光又は赤外光は、挿入部２０２を経由して先端部２０５に入射し、照明窓から外部に出射される（例えば、図１２に示す白色光ＬWLI）。また、ＵＶ光源部２１２から出射された紫外光ＬUVは、挿入部２０２を経由して照明光路に沿って進行し、ＵＶ吸収フィルタ２０８に照射される。
【００９５】
上述した内視鏡装置２００では、実施の形態１や変形例と同様にして、通常観察及び赤外観察時、白色光又は赤外光に加え、ＵＶ光源部２１２から紫外光が出射される。これにより、ＵＶ吸収フィルタ２０８に紫外光が照射される。ＵＶ吸収フィルタ２０８は、紫外光の吸収による発熱によって、体腔の温度と、ＵＶ吸収フィルタ２０８又はカバーガラス２０５３の温度との温度差が小さくなり、結露の発生が抑制される。
【００９６】
以上説明したように、軟性の内視鏡２０１を備える内視鏡装置２００であっても、上述した実施の形態１と同様の効果を得ることができる。
【００９７】
（実施の形態２の変形例１）
続いて、本発明の実施の形態２の変形例１について説明する。図１３は、本発明の実施の形態２の変形例１にかかる内視鏡及び光源装置の構成を説明する模式図である。本変形例１にかかる内視鏡装置は、上述した内視鏡装置２００に対し、ＵＶ吸収フィルタの配置、及び、紫外光を観察光学系へ入射させる構成のみが異なり、そのほかの構成は、上述した内視鏡装置２００と同じである。以下、上述した実施の形態２とは異なる部分について説明する。
【００９８】
本変形例１にかかる内視鏡装置は、内視鏡２０１Ａと、光源装置２１０と、制御装置２２０とを備える。
【００９９】
内視鏡２０１Ａは、可撓性を有する細長形状をなす挿入部２０２Ａと、挿入部２０２Ａの基端側に接続され、各種の操作信号の入力を受け付ける操作部２０３と、上述したユニバーサルコード２０４と、を備える。また、挿入部２０２Ａは、上述した先端部２０５、湾曲自在な湾曲部２０６、及び可撓管部２０７と、を有する。
【０１００】
挿入部２０２Ａは、先端部２０５において、第１ダイクロイックミラー２０５４と、第２ダイクロイックミラー２０５５とをさらに備える。第１ダイクロイックミラー２０５４は、照明光の光路上に設けられ、紫外光を反射し、かつ紫外の波長帯域以外の波長帯域の光を透過する。第２ダイクロイックミラー２０５５は、観察光学系の光軸Ｎ2上に設けられ、紫外光を反射し、かつ紫外の波長帯域以外の波長帯域の光を透過する。
【０１０１】
また、先端部２０５のカバーガラス２０５３の外表面は、ＵＶ吸収フィルタ２０９に被覆されている。ＵＶ吸収フィルタ２０９は、４００ｎｍ以下の波長帯域の光（紫外光）を吸収するフィルタである。
【０１０２】
ＵＶ光源部２１２から出射された紫外光ＬUVは、挿入部２０２Ａを経由して照明光路に沿って進行し、第１ダイクロイックミラー２０５４及び第２ダイクロイックミラー２０５５に反射されて観察光学系の光路に沿って進行し、ＵＶ吸収フィルタ２０９に照射される。
【０１０３】
通常観察及び赤外観察時、白色光又は赤外光に加え、ＵＶ光源部２１２から紫外光が出射される。これにより、ＵＶ吸収フィルタ２０９に紫外光が照射される。ＵＶ吸収フィルタ２０９は、紫外光を吸収することによって発熱する。ＵＶ吸収フィルタ２０９の発熱によって、体腔の温度と、ＵＶ吸収フィルタ２０９又はカバーガラス２０５３の温度との温度差が小さくなり、結露の発生が抑制される。
【０１０４】
上述した変形例１によれば、実施の形態２と同様に、挿入部２０２の太径化を抑制しつつ、挿入部２０２の先端の結露を抑制し、かつ赤外光を用いた観察を行うことができる。
【０１０５】
（実施の形態２の変形例２）
続いて、本発明の実施の形態２の変形例２について説明する。図１４は、本発明の実施の形態２の変形例２にかかる内視鏡及び光源装置の構成を説明する模式図である。本変形例２にかかる内視鏡装置は、上述した内視鏡装置２００に対し、ＵＶ吸収フィルタ及びＵＶ光源部の配置のみが異なり、そのほかの構成は、上述した内視鏡装置２００と同じである。以下、上述した実施の形態２とは異なる部分について説明する。
【０１０６】
本変形例２にかかる内視鏡装置は、内視鏡２０１Ｂと、光源装置２１０Ａと、制御装置２２０とを備える。
【０１０７】
内視鏡２０１Ｂは、可撓性を有する細長形状をなす挿入部２０２Ｂと、挿入部２０２Ｂの基端側に接続され、各種の操作信号の入力を受け付ける操作部２０３と、上述したユニバーサルコード２０４と、を備える。また、挿入部２０２Ｂは、上述した先端部２０５、湾曲自在な湾曲部２０６、及び可撓管部２０７と、を有する。
【０１０８】
また、先端部２０５のカバーガラス２０５３の外表面は、ＵＶ吸収フィルタ２０９に被覆されている。ＵＶ吸収フィルタ２０９は、４００ｎｍ以下の波長帯域の光（紫外光）を吸収するフィルタである。
【０１０９】
挿入部２０２Ｂは、先端部２０５において、ＵＶ光源部２０５６をさらに備える。ＵＶ光源部２０５６から出射された紫外光ＬUVは、ＵＶ吸収フィルタ２０９に照射される。ＵＶ光源部２０５６は、ＬＥＤを用いることによって、小型の光源を先端部２０５に配置することができる。
【０１１０】
光源装置２１０Ａは、白色光と、赤外光との出射を切り替え可能な光源部２１１を備える。光源部２１１から供給される白色光又は赤外光は、挿入部２０２Ｂを経由して先端部２０５に入射し、照明窓から外部に出射される（例えば、図１４に示す白色光ＬWLI）。
【０１１１】
通常観察及び赤外観察時、白色光又は赤外光に加え、ＵＶ光源部２０５６から紫外光が出射される。これにより、ＵＶ吸収フィルタ２０９に紫外光が照射される。ＵＶ吸収フィルタ２０９は、紫外光を吸収することによって発熱する。ＵＶ吸収フィルタ２０９の発熱によって、体腔の温度と、ＵＶ吸収フィルタ２０９又はカバーガラス２０５３の温度との温度差が小さくなり、結露の発生が抑制される。
【０１１２】
上述した変形例２によれば、実施の形態２と同様に、挿入部２０２の太径化を抑制しつつ、挿入部２０２の先端の結露を抑制し、かつ赤外光を用いた観察を行うことができる。
【０１１３】
ここまで、本発明を実施するための形態を説明してきたが、本発明は上述した実施の形態によってのみ限定されるべきものではない。上述した実施の形態では、制御装置５が信号処理などを行うものとして説明したが、カメラヘッド９側で行うものであってもよい。
【０１１４】
また、上述した実施の形態１、２及びその変形例において、ＵＶ吸収フィルタの外表面に親水性の被膜を設けてもよい。図１５は、本発明の他の実施の形態にかかる内視鏡の先端構成を説明する模式図である。図１５に示すように、ＵＶ吸収フィルタ２２の外表面に親水性の被膜２８を設けてもよい。ＵＶ吸収フィルタの外表面を親水性とすることで、体液等が外表面に留まることを抑制できる。
【０１１５】
以上のように、本発明にかかる内視鏡装置は、挿入部の太径化を抑制しつつ、挿入部先端の結露を抑制し、かつ赤外光を用いた赤外観察を行うのに有用である。
【符号の説明】
【０１１６】
１  内視鏡装置
２、２Ａ、２Ｂ、２Ｃ、２０１  内視鏡
３  撮像装置
４  表示装置
５  制御装置
６、６Ａ  光源装置
７、１０  ライトガイド
８  伝送ケーブル
９、９Ａ、９Ｂ  カメラヘッド
２１、２０２  挿入部
２１Ａ  内視鏡側光学系
２２、２２Ａ、２０８、２０９  ＵＶ吸収フィルタ
２３  カバーガラス
２４  照明窓
２５  第１ダイクロイックミラー
２６  第２ダイクロイックミラー
５１  信号処理部
５２  画像処理部
５３  通信モジュール
５４  入力部
５５  出力部
５６  制御部
５７  メモリ
６１  光源部
６２  光源制御部
６３、９５、２０５６  ＵＶ光源部
９１、２０５１  レンズユニット
９２、２０５２  撮像部
９３  通信モジュール
９４  カメラヘッド制御部
９６、９９  ダイクロイックミラー
９７、９８  折り曲げミラー
【図１】
2019165855.tif 000003
【図２】
2019165855.tif 000004
【図３】
2019165855.tif 000005
【図４】
2019165855.tif 000006
【図５】
2019165855.tif 000007
【図６】
2019165855.tif 000008
【図７】
2019165855.tif 000009
【図８】
2019165855.tif 000010
【図９】
2019165855.tif 000011
【図１０】
2019165855.tif 000012
【図１１】
2019165855.tif 000013
【図１２】
2019165855.tif 000014
【図１３】
2019165855.tif 000015
【図１４】
2019165855.tif 000016
【図１５】
2019165855.tif 000017